(57)【要約】【課題】  安全性を向上させることが可能な人体通信装置、人体通信方法及び人体通信プログラムを提供する。【解決手段】    時計１００は、人体通信用の電極１１０を備えた通信部と、位置情報と所定の情報を記憶する記憶部と、人体通信を介して外部装置であるスマートフォン１０２から受信したタッチパネル上の位置情報と、記憶部に記憶された位置情報とを照合し、両者が合致した場合に記憶部に記憶されている所定の情報をスマートフォン１０２に送信する制御部と、を備える。【選択図】図１
2016181855.tif 000002
【特許請求の範囲】
【請求項１】
人体通信用の電極を備えた通信部と、
所定の情報を記憶する記憶部と、
前記人体通信を介して外部装置から受信した、該外部装置のタッチパネル上の位置情報と、前記記憶部に記憶された位置情報とを照合し、該照合結果が合致した場合に前記記憶部に記憶されている前記所定の情報を送信する制御部と、を備える人体通信装置。
【請求項２】
前記外部装置から前記照合処理の要求があった場合に、当該要求があった旨を通知する通知部を備える、請求項１記載の人体通信装置。
【請求項３】
前記位置情報が、複数の位置情報である請求項１記載の人体通信装置。
【請求項４】
前記位置情報が、前記タッチパネル上の接触の軌跡を示す位置情報である請求項１記載の人体通信装置。
【請求項５】
人体通信用の電極を備えたタッチパネルと、
前記タッチパネル上の接触位置の位置情報を外部装置に人体通信により送信すると共に、該外部装置から所定の情報を受信する通信部と、
前記通信部が受信した前記所定の情報に基づいて認証処理を行う制御部と、を備える人体通信装置。
【請求項６】
画像を表示する表示部を備え、
前記制御部は、前記所定の情報を前記表示部に表示させる、請求項１記載の人体通信装置。
【請求項７】
人体通信を介して外部装置から受信した、該外部装置のタッチパネル上の位置情報と、記憶部に記憶された位置情報とを照合する工程と、
前記外部装置のタッチパネル上の位置情報と、前記記憶部に記憶された位置情報とが合致した場合に、前記記憶部に記憶されている所定の情報を送信する工程と、を備える人体通信方法。
【請求項８】
人体通信用の電極を備えた通信部と、
所定の情報を記憶する記憶部と、を備えたコンピュータを、
前記人体通信を介して外部装置から受信した、該外部装置のタッチパネル上の位置情報と、前記記憶部に記憶された位置情報とを照合し、該照合結果が合致した場合に前記記憶部に記憶されている前記所定の情報を送信する制御部として機能させる、人体通信プログラム。
【請求項９】
人体通信用の電極を備えたタッチパネル上の接触位置の位置情報を外部装置に人体通信により送信する工程と、
該外部装置から所定の情報を受信する工程と、
前記通信部が受信した前記所定の情報に基づいて認証処理を行う工程と、を備える人体通信方法。
【請求項１０】
人体通信用の電極を備えたタッチパネルを備えるコンピュータを、
前記タッチパネル上の接触位置の位置情報を外部装置に人体通信により送信すると共に、該外部装置から所定の情報を受信する通信部、及び
前記通信部が受信した前記所定の情報に基づいて認証処理を行う制御部として機能させる、人体通信プログラム。
【発明の詳細な説明】
【技術分野】
【０００１】
本発明は、人体通信を利用する人体通信装置、人体通信方法及び人体通信プログラムに関する。
【背景技術】
【０００２】
従来、人体を通信媒体として通信を行う人体通信装置が知られている。また、人体通信装置の中にはタッチパネルを人体通信の電極として用いる技術も知られている（特許文献１、特許文献２参照）。
【先行技術文献】
【特許文献】
【０００３】
【特許文献１】特開２０１０−２８６８９５号公報
【特許文献２】特開２０１２−３４１５７号公報
【発明の概要】
【発明が解決しようとする課題】
【０００４】
従来の技術では、人体通信装置における情報の安全性の確保が困難であった。
【０００５】
本発明は、安全性を向上させることが可能な人体通信装置、人体通信方法及び人体通信プログラムを提供することを目的とする。
【課題を解決するための手段】
【０００６】
上記課題を解決するため、本発明に係る人体通信装置は、人体通信用の電極を備えた通信部と、所定の情報を記憶する記憶部と、前記人体通信を介して外部装置から受信した、該外部装置のタッチパネル上の位置情報と、前記記憶部に記憶された位置情報とを照合し、該照合結果が合致した場合に前記記憶部に記憶されている前記所定の情報を送信する制御部と、を備える。
【０００７】
また、本発明に係る人体通信装置は、人体通信用の電極を備えたタッチパネルと、前記タッチパネル上の接触位置の位置情報を外部装置に人体通信により送信すると共に、該外部装置から所定の情報を受信する通信部と、前記通信部が受信した前記所定の情報に基づいて認証処理を行う制御部と、を備える。
【０００８】
また、本発明に係る人体通信方法は、人体通信を介して外部装置から受信した、該外部装置のタッチパネル上の位置情報と、記憶部に記憶された位置情報とを照合する工程と、前記外部装置のタッチパネル上の位置情報と、前記記憶部に記憶された位置情報とが合致した場合に、前記記憶部に記憶されている所定の情報を送信する工程と、を備える。
【０００９】
また、本発明に係る人体通信プログラムは、人体通信用の電極を備えた通信部と、所定の情報を記憶する記憶部と、を備えたコンピュータを、前記人体通信を介して外部装置から受信した、該外部装置のタッチパネル上の位置情報と、前記記憶部に記憶された位置情報とを照合し、該照合結果が合致した場合に前記記憶部に記憶されている前記所定の情報を送信する制御部として機能させる。
【００１０】
また、本発明に係る人体通信方法は、人体通信用の電極を備えたタッチパネル上の接触位置の位置情報を外部装置に人体通信により送信する工程と、該外部装置から所定の情報を受信する工程と、前記通信部が受信した前記所定の情報に基づいて認証処理を行う工程と、を備える。
【００１１】
また、本発明に係る人体通信プログラムは、人体通信用の電極を備えたタッチパネルを備えるコンピュータを、前記タッチパネル上の接触位置の位置情報を外部装置に人体通信により送信すると共に、該外部装置から所定の情報を受信する通信部、及び前記通信部が受信した前記所定の情報に基づいて認証処理を行う制御部として機能させる。
【発明の効果】
【００１２】
本発明によれば、安全性を向上させることが可能な人体通信装置、人体通信方法及び人体通信プログラムを提供することができる。
【図面の簡単な説明】
【００１３】
【図１】本実施形態の人体通信装置を利用した人体通信システムの概略図である。
【図２】図１に示される時計１００の内部ブロック図である。
【図３】図１に示されるスマートフォン１０２の内部ブロック図である。
【図４】図１に示されるスマートフォン１０２における表示部３０６の内部ブロック図である。
【図５】図１に示される時計１００の動作のフローチャートである。
【図６】図１に示されるスマートフォン１０２の動作のフローチャートである。
【図７】図１に示されるスマートフォン１０２の外観図である。
【図８】図１に示されるスマートフォン１０２の外観図である。
【図９】図１に示される時計１００の外観図である。
【図１０】図１に示されるスマートフォン１０２の変形例の外観図である。
【図１１】図１に示されるスマートフォン１０２の変形例の外観図である。
【発明を実施するための形態】
【００１４】
以下、図面を参照して本実施形態の人体通信装置について説明する。図１は、本実施形態の人体通信装置を利用した人体通信システムの概略図である。１００は、人体通信用の電極が備えられた、人体通信装置としての時計ある。１０２は、人体通信用の電極が備えられた、人体通信装置としてのスマートフォンである。また、以下の人体通信装置の実施形態の説明は、本発明の人体通信方法及び人体通信プログラムの実施形態の説明も兼ねる。
【００１５】
なお、本実施形態では、時計１００に記憶された個人などを特定する識別情報（ＩＤ）やパスワード（Ｐａｓｓ）などの情報が、人体通信を介してスマートフォン１０２に送信される。
【００１６】
時計１００は、腕時計タイプの時計であり、腕に接する部分には人体通信用の電極１１０が設けられている。そして、時計１００を腕に装着したユーザの腕の皮膚に、この電極１１０が接触する。また、スマートフォン１０２は、タッチパネルにより情報が入力が可能であり、このタッチパネルが設けられている面には人体通信用の電極１１２が設けられている。時計１００とスマートフォン１０２とは、互いに電極１１０と電極１１２とにより人体を介して通信を行い、互いに情報を送受信することができる。
【００１７】
また、スマートフォン１０２は、基地局と、例えばＬＴＥ規格の通信ネットワークを介して上り電波及び下り電波によりと通信する。
【００１８】
人体通信は、近距離通信方式の一つとして、人体を介した通信方法である。この通信方法はＢＡＮ  （Ｂｏｄｙ  Ａｒｅａ  Ｎｅｔｗｏｒｋ）と呼称される通信方式の一つであり、国際標準規格ＩＥＥＥ  ８０２．１５．６がリリースされている。なお、本実施形態に適用される人体通信としては、電流方式、電界方式、ＵＨＦ帯電波方式、弾性波方式などがありこれらののいずれでもよいが、以下の説明では電界方式を採用するものとする。
【００１９】
なお、人体通信には高電圧が用いられる場合もあるが、小電流であるため人体の健康に影響を及ぼさない。また、本実施形態の人体通信では、人体（典型的には手や指）が手袋や衣服などを介して接触しても、データの送受信を行うことが可能である。
【００２０】
ここで、時計１００の内部構造について図２を参照して説明する。図２は、図１に示される時計１００の内部ブロック図である。
【００２１】
図２に示すように、時計１００は、装置全体の制御を司る制御部（例えば、ＣＰＵなど）２０２と、プログラムやデータ等を記憶する記憶部２０４とを備える。さらに、時計１０２は、例えば画像や文字などを表示する表示部２０６と、人体通信用の電極２０８ａを介して外部の人体通信装置と通信を行うと共に、有線ケーブル等により外部装置と通信を行う通信部２０８とを備える。なお、上記表示部２０６はタッチパネルであっても良い。
【００２２】
また、時計１００は、音や光等によりユーザに情報を通知する通知部２１０と、電源のオンやその他の操作をするためのボタンなどからなる入力部２１２と、無線を用いて外部装置とデータの送受信を行う無線部２１４とを備える。
【００２３】
次に、図１に示されるスマートフォン１０２の内部構成について、図３を参照して説明する。図３は、図１に示されるスマートフォン１０２の内部ブロック図である。
【００２４】
図３に示すように、スマートフォン１０２は、装置全体の制御を司る制御部（例えば、ＣＰＵなど）３０２と、プログラムやデータ等を記憶する記憶部３０４とを備える。
【００２５】
さらに、スマートフォン１０２は、画像や文字などを表示すると共に指などを接触することにより情報を入力するタッチパネルディスプレイにより構成された人体通信用の電極３０６ａを備える表示部３０６とを備える。本実施形態では、スマートフォン１０２は、人体通信により時計１００と通信を行う。
【００２６】
また、スマートフォン１０２は、有線ケーブル等により外部装置と通信を行う通信部３０８とを備える。
【００２７】
また、スマートフォン１０２は、音や光等によりユーザに情報を通知する通知部３１０と、電源のオンオフやその他の操作をするためのボタンなどからなる入力部３１２とを備える。また、スマートフォン１０２は、例えば近距離無線による通信やＬＴＥ規格のネットワークにより基地局と無線により通信を行う無線部３１４とを備える。
【００２８】
次に、スマートフォン１０２における人体通信の検出機構について図４を参照して説明する。図４は、図１に示されるスマートフォン１０２における表示部３０６と通信部３０８の内部ブロック図である。
【００２９】
図４に示されるように、スマートフォン１０２の表示部３０６は、タッチパネル５０１と、ＬＣＤ（Ｌｉｑｕｉｄ  Ｃｒｙｓｔａｌ  Ｄｉｓｐｌａｙ）５０３と、ローパスフィルタ５０５と、タッチパネル５０１でのタッチ位置を検出するためのタッチパネル検出回路５０９とを備える。なお、このＬＣＤ５０３の代わりに、ＯＬＥＤ（Ｏｒｇａｎｉｃ  Ｌｉｇｈｔ  Ｅｍｉｔｔｉｎｇ  Ｄｉｏｄｅ）を用いても良い。
【００３０】
また、図４に示されるように、スマートフォン１０２の通信部３０８は、ハイパスフィルタ５０７と、人体通信のための信号を処理する人体通信回路５１１とを備える。
【００３１】
タッチパネル５０１のＸ電極、Ｙ電極を人体通信用の電極３０６ａとして用いる。そして、タッチパネル５０１のＸ電極、Ｙ電極による電極３０６ａにローパスフィルタ５０５、ハイパスフィルタ５０７を接続する。ローパスフィルタ５０５側に、タッチパネル検出用回路５０９を接続し、ハイパスフィルタ５０７側に人体通信回路５１１を接続する。
【００３２】
タッチパネル５０１のＸ電極、Ｙ電極による電極３０６ａとタッチパネル検出回路５０９との間はローパスフィルタ５０５によりタッチパネル検出用の信号のみが通る。タッチパネル５０１のＸ電極、Ｙ電極による電極３０６ａと人体通信回路５１１との間はハイパスフィルタ５０７により人体通信信号のみが通る。タッチパネルの信号の周波数は数ｋＨｚ〜数１００ｋＨｚ程度であり、人体通信で使用される周波数は、数１００ｋＨｚ〜数１０ＭＨｚが用いられる為、これにより双方の信号を分離し、それぞれ同時に動作可能となる。
【００３３】
本実施形態のスマートフォン１０２では、人体通信用の電極をスマートフォンに専用で搭載するのでは無く、既に搭載されているタッチパネル５０１の電極３０６ａを使用する。タッチパネル５０１は接触する人体の指や専用のペンの座標について、その静電容量を用いて通信を行い検出を行っている静電容量タイプのタッチパネルである。そして、本実施形態のスマートフォン１０２は、人体通信に際し、タッチパネル５０１の電極３０６ａを人体通信用の電極として使用する事で、タッチパネル５０１に触れただけで人体通信装置としての時計１００と通信を行う事が可能となる。
【００３４】
またタッチパネル５０１はＬＣＤ５０３等の表示デバイスに貼り付けられ、その表示デバイスの座標と一致するように作られている。その為、人体通信を行う際にＬＣＤ５０３をタッチした座標も人体通信時の情報として付加する事が可能となる。
【００３５】
それにより、様々なアプリケーションによる画面指示に従って表示されているボタンを指でクリックし、その座標情報と携帯している例えば個人認証用の人体通信端末による情報を付加する事で、安全性を向上させて認証を行う事が可能である。
【００３６】
また、タッチパネルは２箇所以上の座標を同時認識可能な為、表示画面上の２つ以上箇所を同時若しくは所定の順序でタッチし複数の座標データを付加する事で、さらに安全性を向上させる事が可能である。また、その一連の操作だけで人体通信を行える為、本人は人体通信を行うという意識をする必要も無く、利便性が飛躍的に向上する。
【００３７】
次に、図１に示される時計１００の動作について、図５を参照して説明する。図５は、図１に示される時計１００の動作のフローチャートである。
【００３８】
制御部２０２は、まず、通信部２０８を介して人体通信により、スマートフォン１０２から信号を受信したか否かを検知する（ステップＳ１０１）。
【００３９】
そして、制御部２０２は、人体通信による信号をスマートフォン１０２から受信している場合は（ステップＳ１０１、Ｙｅｓ）、ステップＳ１０３に移行する。制御部２０２は、人体通信による信号を受信していない場合は（ステップＳ１０１、Ｎｏ）、ステップＳ１０１に移行する。
【００４０】
制御部２０２は、スマートフォン１０２から信号を受信している場合は、受信した信号の中に含まれている、タッチパネルの接触位置座標が記憶部２０４に記憶されている所定座標であるかを確認する（ステップＳ１０３）。そして、制御部２０２は、受信した信号の中に含まれている、タッチパネルの接触位置座標が所定座標である場合（Ｓ１０３、Ｙｅｓ）、照合処理の結果が合致したものとして、ステップＳ１０５に移行する。制御部２０２は、受信した信号の中に含まれている、タッチパネルの接触位置座標が所定座標でない場合（Ｓ１０３、Ｎｏ）、ステップＳ１０７に移行する
【００４１】
制御部２０２は、スマートフォン１０２に対して、記憶部２０４に記憶されているＩＤ、Ｐａｓｓを人体通信を介して送信する（ステップＳ１０５）。すなわち、制御部２０２は、スマートフォン２０２から、人体通信を利用して送信された、スマートフォン２０２の装置情報、ＩＤとＰａｓｓとを入力するホームページのＵＲＬ等の情報に基づいて、記憶部２０４に格納されているスマートフォン２０２に送信するＩＤとＰａｓｓとを特定し、スマートフォン２０２に送信する（ステップＳ１０５）。
【００４２】
次に、制御部２０２は、スマートフォン１０２から人体通信を介したアクセスが時計１００に有ったことを通知する（ステップＳ１０７）。この通知は、例えば時計１００の表示部に文字などの画像や、音声、振動等である。この通知により、時計１００のユーザは、時計１００に対して、情報の送信要求があったことを知ることができる。
【００４３】
次に、図１に示されるスマートフォン１０２の動作について図６を参照して説明する。図６は、図１に示されるスマートフォン１０２の動作のフローチャートである。
【００４４】
制御部３０２は、人体通信の電極を有する表示部３０６のタッチパネル５０９への入力を検知したか否かを判断する（ステップＳ２０１）。
【００４５】
そして、制御部３０２は、人体通信の電極を有する表示部３０６のタッチパネル５０９への入力を検知した場合は（ステップＳ２０１、Ｙｅｓ）、ステップＳ２０３に移行する。制御部２０２は、人体通信の電極を有する表示部３０６のタッチパネル５０９への入力を検知していない場合は（ステップＳ２０１、Ｎｏ）、ステップＳ２０１に移行する
【００４６】
制御部３０２は、人体通信の電極を有する表示部３０６のタッチパネル５０１への入力座標を取得し、この取得した入力座標を通信部３０８による人体通信を介して時計１００に送信し（ステップＳ２０３）、ステップＳ２０５に移行する。
【００４７】
次に、制御部３０２は、時計１００から、通信部３０８による人体通信を介してＩＤやＰａｓｓ等の情報を受信したか否かを判断する。そして、制御部３０２は、時計１００から、通信部３０８による人体通信を介してＩＤやＰａｓｓ等の情報を受信した場合は（ステップＳ２０５、Ｙｅｓ）、ステップＳ２０７に移行する。制御部３０２は、時計１００から、通信部３０８による人体通信を介してＩＤやＰａｓｓ等の情報を受信していない場合は（ステップＳ２０５、Ｎｏ）、処理を終了する。
【００４８】
制御部３０２は、時計１００から、通信部３０８による人体通信を介してＩＤやＰａｓｓ等の情報を受信した場合は、この受信した情報を、例えばホームページのログイン画面のＩＤやＰａｓｓの入力画面に入力し（ステップＳ２０７）、その後、処理を終了する。
【００４９】
次に、図１に示されるスマートフォン１０２の表示について、図７及び図８を参照して説明する。図７及び図８は、図１に示されるスマートフォン１０２の外観図である。
【００５０】
図７に示されるように、スマートフォン１０２の表示画面には、ＩＤ入力部６０１と、Ｐａｓｓ入力部６０３と、ボタン６０５ａ，６０５ｂ，６０５ｃ，６０５ｄ，６０５ｅ，６０５ｆ（以下、これら六個のボタンを総称するときは単にボタン６０５という）と、ログインボタン６０７とが表示されている。
【００５１】
図７に示される画面は、例えばユーザがスマートフォン１０２のブラウザを操作し、インターネット上の所定のホームページにアクセスし、そのホームページ内におけるログイン画面を表示した場合の画面である。
【００５２】
ユーザは、ボタン６０５のいずれかを押されることにより、そのボタン６０５のタッチパネル上の位置情報を、人体通信により時計１００に送信する。例えば、ボタン６０５ｃが押された場合について図８を参照して説明する。
【００５３】
時計１００では、スマートフォン１０２から送信されたボタン６０５ｃの位置情報を、記憶部に格納されている位置情報と照合する。つまり、時計１００は、受信した信号の中に含まれている、タッチパネルの接触位置座標が記憶部２０４に記憶されている所定座標であるかを確認する。そして、スマートフォン１０２から送信されたボタン６０５ｃの位置情報と、記憶部に格納されている位置情報とが合致した場合は、記憶部に格納されているＩＤとＰａｓｓとを、人体通信によりスマートフォン１０２に送信する。なお、スマートフォン１０２から送信されたボタン６０５ｃの位置情報と、記憶部に格納されている位置情報とが合致しなかった場合は、時計１００は、エラー情報をスマートフォン１０２に送信する。
【００５４】
図８に示されるように、ＩＤとＰａｓｓとを受信したスマートフォン１０２は、これら受信した情報をそれぞれＩＤ入力部６０１と、Ｐａｓｓ入力部６０３とに入力する。そして、ＩＤ入力部６０１と、Ｐａｓｓ入力部６０３とに適切な情報が入力された状態でユーザがログインボタン６０７を押すと、ユーザはログインすることができる。
【００５５】
また、ＩＤとＰａｓｓとを、人体通信によりスマートフォン１０２に送信した時計１００の表示画面には、例えば図９に示されるように、スマートフォン１０２から人体通信を介したアクセスがあった旨を通知する。図９は、図１に示される時計１００の外観図である。
【００５６】
時計１００は、液晶により画像を表示可能な表示部２０６としてのタッチパネル１１０１と、所定の色により発行可能な通知部２１０としてのＬＥＤ発光部１１０３とを備える。
【００５７】
タッチパネル１１０１には、時刻表示１１０７と共に、スマートフォン１０２からの人体通信を介したＩＤとＰａｓｓとの送信要求についてのアクセスがあった旨の通知１１０５が表示されている。また、ＬＥＤ発光部１１０３は、スマートフォン１０２からの人体通信を介したＩＤとＰａｓｓとの送信要求についてのアクセスがあった場合に、例えば赤色で点滅しているとしても良い。
【００５８】
以上の説明から明らかなように、本実施形態の人体通信装置によれば、安全性を向上させることが可能な人体通信装置を提供する。
【００５９】
つまり、スマートフォン１０２を操作するユーザが人体通信機能を搭載した時計１０２などのウェアラブル端末を所持し、スマートフォン１０２のタッチパネルへ指等の人体の部位でタッチする事で、人体を介してスマートフォン１０２側とウェアラブル端末である時計１００間で通信が行われる。これにより例えば、時計１００などのウェアラブル端末に搭載している個人情報であるＩＤやＰａｓｓ等の個人情報をタッチパネルをタッチするだけでスマートフォン１０２と個人認証の為の通信を行う事が出来る。
【００６０】
また、混雑している電車等では、静電容量タイプの人体通信の場合、衣服の上から周囲の他人に、その他人のスマートフォンから時計１００にアクセスされる可能性がある。本実施形態では、タッチパネル上でタッチするという行為で同時にタッチパネル上の座標を認証に必要な情報として利用することが出来る。そのため、タッチパネル上でタッチした座標を認証の条件として用いる事で、他人が単にスマートフォンを接触させただけでは個人認証は出来ず、安全性を向上させる事が出来る。
【００６１】
このように、本実施形態では、タッチパネルへのタッチ操作により座標情報を取得することができるため、スマートフォン上で表示された特定の領域にタッチする事で、タッチした場所の位置情報を認証に必要な情報に利用することができ、安全性を向上させることができる。
【００６２】
（変形例１）
次に、上記実施形態の変形例について、図１０、図１１を参照して説明する。図１０及び図１１は、図１に示されるスマートフォン１０２の変形例の外観図である。なお、本変形例１の説明において、上記実施形態と異なる点を説明する。
【００６３】
上記実施形態では、認証のために押すボタンは１つのみであったが本実施形態はこのような場合に限定されない。例えば、指２本、もしくは両手の指を用いて２箇所以上の座標を同時もしはく所定時間以内に押したり（図１０参照）、所定の軌跡（順序）でボタンを押すことにより（図１１参照）、表示上のボタンを押しただけで同時に２箇所以上の座標情報を付加する事が出来る。図１０では、ボタン６０５ｃとボタン６０５ｅとが押されている。また、図１１では、ボタン６０５ｄ、ボタン６０５ａ、ボタン６０５ｂがこの順序で押されている。
【００６４】
例えば１箇所の座標をだけの場合、第三者が偶然に適切なボタンを押す場合もあり得るが、２箇所以上のボタンを組み合わせるとより偶然による適切なボタンの押下が困難となり、さらに安全性の向上が可能である。
【００６５】
なお、実施形態は上記説明した内容に限定されるものではない。例えば、上記実施形態では、時計１００、スマートフォン１０２がいずれも１つのみ表示されるいるが、これらの個数は１つに限定されるものではなく１つ以上の任意の数であって良い。
【００６６】
また、上記実施形態では、人体通信装置として時計１００とスマートフォン１０２とを例に挙げたが、人体通信装置としてはこれらに限定されるものではなく、人体通信用の電極を備えていれば、例えば、眼鏡、ゲーム機、ノートＰＣ、メモリ、タブレット装置、イヤホン、ヘッドホン、音楽再生装置、歩数計、補聴器、血圧計、体温計、指輪や腕輪やネックレスやピアスその他の装飾品、下着やＴシャツやジャケットやズボンその他の衣料品、床やドアやドアノブや手すりや壁その他の建築関連物、椅子やテーブルや戸棚その他の家具、信号機やガードレールや標識その他の道路設置物などであっても良い。
【００６７】
時計１００は、異なったホームページなどログイン対象毎に、ログインのためのＩＤとＰａｓｓとを格納し、それぞれのログイン対象に応じたＩＤとＰａｓｓをそのホームページの入力画面に入力するとしても良い。この場合、例えば時計１００の記憶部は、例えばホームページのＵＲＬを識別記号としてＩＤとＰａｓｓを格納する。
【００６８】
また、時計１００及びスマートフォン１０２の少なくとも一方の設定により、時計及びスマートフォンの少なくともいずれかの装置がＧＰＳにより位置を検出し、時計１００によりその現在位置がユーザが設定所定した所定位置、例えば自宅や会社などに存在すると判断した場合に限り、人体通信を介して時計１００から通信装置１０２にＩＤとＰａｓｓとが送信されるとしても良い。この場合、所定の場所以外では人体通信を介して時計１００からスマートフォン１０２にＩＤとＰａｓｓとが送信されることが防止されるため、より安全性を向上させることができる。
【００６９】
また、時計１００及びスマートフォン１０２の少なくとも一方の設定により、時計及びスマートフォンの少なくともいずれかの装置が時刻を検出し、時計１００がその時刻がユーザが設定所定した所定時刻範囲、例えば現在時刻がＰＭ７：００からＰＭ１０：００などであると判断した場合に限り、人体通信を介して時計１００からスマートフォン１０２にＩＤとＰａｓｓとが送信されるとしても良い。この場合、所定の時刻範囲以外では人体通信を介して時計１００からスマートフォン１０２にＩＤとＰａｓｓとが送信されることが防止されるため、より安全性を向上させることができる。
【００７０】
また、時計１００において、ＩＤとＰａｓｓとを人体通信により送信する相手側装置の例えばＭａｃアドレスなどの識別記号を格納しておき、この識別記号として所定の識別記号の装置以外にはＩＤとＰａｓｓとが送信されないようにしても良い。これにより、さらに安全性を向上させることができる。
【００７１】
また、上記実施形態では、時計１００からスマートフォン１０２に送信される情報としてＩＤとＰａｓｓとを例に挙げたがこれに限定されるものではない。例えば、時計１００からスマートフォン１０２に送信される情報として、個人や法人の名前、住所、電話番号、メールアドレスその他のアドレス、スケジュール情報、メモ帳などの文章、ゲームなどのステータス情報など適宜の情報を送信するとして良い。
【００７２】
また、上記実施形態として認証用のボタン６０５を設けたが本実施形はこのような場合に限定されるものではなく、認証用のボタン６０５を例えばログインボタン６０７と兼用とするなど、既に設けられているボタンに認証用のボタンを用いるとしても良い。この場合、認証をログインボタンをクリックする際に個人認証を行うことができ、よりシームレスに認証を行う事が出来る。本人は人体通信による認証を行っている意識が無くても高い安全性を維持したまま、認証を行う事が出来る。
【００７３】
また、上記実施形態として認証用のボタン６０５を設けたが本実施形はこのような場合に限定されるものではなく，ボタン６０５は表示させず、単にタッチパネル５０１上に認証用の領域を設けるのみであるとしても良い。
【符号の説明】
【００７４】
１００  時計
１０２  スマートフォン
１１０，１１２  電極
３０６ａ  電極
５０１  タッチパネル
５０３  ＬＣＤ
【図１】
2016181855.tif 000003
【図２】
2016181855.tif 000004
【図３】
2016181855.tif 000005
【図４】
2016181855.tif 000006
【図５】
2016181855.tif 000007
【図６】
2016181855.tif 000008
【図７】
2016181855.tif 000009
【図８】
2016181855.tif 000010
【図９】
2016181855.tif 000011
【図１０】
2016181855.tif 000012
【図１１】
2016181855.tif 000013